(57)【要約】【課題】操作部に対応する孔と操作部との位置合わせを簡易にでき、さらに表示部の起立状態で閉塞体を容易に取着することができる表示装置を提供する。【解決手段】前側に画像表示面を有し、該画像表示面に画像を表示する表示手段を有する表示部と、該表示部に装着され、前記表示手段に動作指示信号を与える押釦５１〜５４と、前記表示部の周りを覆うバックキャビネット３とを備え、該バックキャビネット３に、前記押釦５１〜５４の周りに開放された開放孔３１を設け、該開放孔３１を閉塞し、且つ押釦５１〜５４に対応する案内孔７１〜７４を有する閉塞体７を設け、該閉塞体７を小螺子により固定するようにした。【選択図】図３
2007151036.tif 000002
【特許請求の範囲】
【請求項１】
前側に画像表示面を有し、該画像表示面に画像を表示する表示手段を有する表示部と、該表示部に装着され、前記表示手段に動作指示信号を与える操作部と、前記画像表示面に対応する箇所が開放され、前記表示部を覆うキャビネットとを備えた表示装置において、前記キャビネットは前記操作部の周りに開放された開放孔を有しており、該開放孔を閉塞し、前記操作部に対応する孔を有する閉塞体と、該閉塞体を固定する固定手段とを備えることを特徴とする表示装置。
【請求項２】
前記操作部及び開放孔は前記表示部の後側に配してあり、前記固定手段は前記表示部の後側で固定操作を可能としてある請求項１記載の表示装置。
【請求項３】
前記表示部は前面視略四角形をなしており、前記操作部は前記表示部の一辺の長さ方向に離隔して複数並置されており、前記閉塞体を位置決めする位置決め手段を備える請求項１又は２記載の表示装置。
【請求項４】
異なる二方向に窪む第１凹部及び第２凹部を有し、前記表示部に取着されて前記操作部及び閉塞体を支持する支持体を備えており、前記位置決め手段は前記閉塞体に突設され、前記第１凹部に嵌入される第１突起及び前記第２凹部に嵌入される第２突起を有する請求項３記載の表示装置。
【請求項５】
前記支持体及び閉塞体は前記表示部の上側に配されている請求項４記載の表示装置。
【発明の詳細な説明】
【技術分野】
【０００１】
本発明は液晶表示装置、プラズマ表示装置等の表示装置に関する。
【背景技術】
【０００２】
テレビ等の表示装置は、前側に画像表示面を有し、後側にバックライト、電源基板等の電気部品を有する表示部と、該表示部の前側周縁部を取囲むフロントキャビネットと、表示部の後側を覆うバックキャビネットと、前記表示部を起立状態で支持したスタンドとを備えている（例えば、特許文献１参照）。また、このように構成された表示装置の表示部には画像表示面に画像を表示する表示手段及び該表示手段を制御する制御部と、該制御部をキャビネットの外部で手動により制御操作する押釦等の操作部とが設けられており、該操作部に対応する孔がキャビネットに設けられている。
【特許文献１】特開２００５−１３４５９１号公報
【発明の開示】
【発明が解決しようとする課題】
【０００３】
ところで、外部操作を可能とした操作部が設けられた表示装置にあっては、操作部に対応する孔がキャビネットに設けられているため、比較的大形に形成されるキャビネットを表示部に取着するとき、操作部と孔との位置合わせが行い難い。また、比較的大形に形成される表示装置は表示部を載置台上に転倒させた状態でキャビネットを表示部の上方から下降させつつ組み込まれるため、操作部及び該操作部に対応する孔の位置関係が分かり難くて組立て作業性が悪く、改善策が要望されていた。
【０００４】
本発明は斯かる事情に鑑みてなされたものであり、主たる目的は操作部の周りに開放された開放孔をキャビネットに設け、前記開放孔を閉塞する閉塞体に、前記操作部に対応する孔を設けることにより、操作部に対する孔の位置合わせを容易に行うことができ、組立て作業性を向上できる表示装置を提供することにある。
【０００５】
また、他の目的は、操作部及び開放孔を表示部の後側に配し、固定手段を表示部の後側で固定操作することができるように構成することにより、表示部が起立している状態で表示部の後側から閉塞体を適正位置に配置し、固定することができる表示装置を提供することにある。
【０００６】
また、他の目的は、表示部を前面視略四角形とし、操作部を表示部の一辺の長さ方向に離隔して複数並置し、閉塞体を位置決めする位置決め手段を設けることにより、複数の操作部に対する孔の位置合わせを容易に行うことができ、組立て作業性を向上できる表示装置を提供することにある。
【０００７】
また、他の目的は、表示部に取着されて操作部及び閉塞体を支持する支持体に、前方に窪む第１凹部と下方に窪む第２凹部とを設け、第１凹部に嵌入される第１突起及び第２凹部に嵌入される第２突起を閉塞体に設けることにより、閉塞体を正確に位置決めすることができる表示装置を提供することにある。
【０００８】
また、他の目的は、支持体及び閉塞体を表示部の上側に配することにより、表示部が比較的大形の場合であっても、作業者が立ち姿勢で閉塞体を装着固定することができる表示装置を提供することにある。
【課題を解決するための手段】
【０００９】
本発明に係る表示装置は、前側に画像表示面を有し、該画像表示面に画像を表示する表示手段を有する表示部と、該表示部に装着され、前記表示手段に動作指示信号を与える操作部と、前記画像表示面に対応する箇所が開放され、前記表示部を覆うキャビネットとを備えた表示装置において、前記キャビネットは前記操作部の周りに開放された開放孔を有しており、該開放孔を閉塞し、前記操作部に対応する孔を有する閉塞体と、該閉塞体を固定する固定手段とを備えることを特徴とする。
【００１０】
この発明にあっては、キャビネットより小形の閉塞体が操作部に対応する孔を有するため、操作部に対する孔の位置合わせを容易に行うことができ、しかも、閉塞体は比較的小形であり、この閉塞体を固定手段が固定するため、表示部が起立している状態で閉塞体を容易に組み込むことができ、組立て作業性を向上できる。
【００１１】
また、本発明に係る表示装置は、前記操作部及び開放孔は前記表示部の後側に配してあり、前記固定手段は前記表示部の後側で固定操作を可能としてあることを特徴とする。
【００１２】
この発明にあっては、表示部が起立している状態で表示部の後側から閉塞体を適正位置に配置することができ、しかも、固定手段の固定操作を容易に行うことができ、組立て作業性を向上できる。
【００１３】
また、本発明に係る表示装置は、前記表示部は前面視略四角形をなしており、前記操作部は前記表示部の一辺の長さ方向に離隔して複数並置されており、前記閉塞体を位置決めする位置決め手段を備えることを特徴とする。
【００１４】
この発明にあっては、複数の操作部に対する孔の位置合わせを容易に行うことができ、組立て作業性を向上できる。
【００１５】
また、本発明に係る表示装置は、異なる二方向に窪む第１凹部及び第２凹部を有し、前記表示部に取着されて前記操作部及び閉塞体を支持する支持体を備えており、前記位置決め手段は前記閉塞体に突設され、前記第１凹部に嵌入される第１突起及び前記第２凹部に嵌入される第２突起を有することを特徴とする。
【００１６】
この発明にあっては、第１突起を第１凹部に嵌入し、第２突起を第２凹部に嵌入することにより閉塞体を正確に位置決めすることができ、この状態で固定手段により閉塞体を固定することができる。
【００１７】
また、本発明に係る表示装置は、前記支持体及び閉塞体は前記表示部の上側に配されていることを特徴とする。
【００１８】
この発明にあっては、表示部が比較的大形の場合であっても、作業者が立ち姿勢で閉塞体を装着固定することができ、組立て作業性をより一層向上できる。
【発明の効果】
【００１９】
以上詳述したように本発明によれば、操作部の周りに開放された開放孔をキャビネットに設けてあり、前記開放孔を閉塞する閉塞体が操作部に対応する孔を有するため、操作部に対する孔の位置合わせを容易に行うことができ、しかも、比較的小形の閉塞体を固定手段が固定するため、表示部が起立している状態で閉塞体を容易に組み込むことができ、組立て作業性を向上できる。
【００２０】
また、本発明によれば、表示部が起立している状態で表示部の後側から閉塞体を適正位置に配置することができ、さらに表示部の後側で固定操作を行うことができ、組立て作業性を向上できる。
【００２１】
また、本発明によれば、複数の操作部に対する孔の位置合わせを容易に行うことができ、組立て作業性を向上できる。
【００２２】
また、本発明によれば、第１突起を第１凹部に嵌入し、第２突起を第２凹部に嵌入することにより閉塞体を正確に位置決めすることができ、この状態で閉塞体を固定することができる。
【００２３】
また、本発明によれば、表示部が比較的大形の場合であっても、作業者が立ち姿勢で閉塞体を装着固定することができ、組立て作業性をより一層向上できる。
【発明を実施するための最良の形態】
【００２４】
以下本発明をその実施の形態を示す図面に基づいて詳述する。図１は本発明に係る表示装置の構成を示す背面側の斜視図、図２は分解した背面側の斜視図、図３は要部の分解した斜視図である。
【００２５】
図示した表示装置はテレビ画像を表示し、前面視略四角形をなす表示部１と、該表示部１の前側周縁部を取囲むフロントキャビネット２と、表示部１の後側を覆うバックキャビネット３と、表示部１を起立状態で支持するスタンド４とを備える液晶テレビである。
【００２６】
表示部１は前側に画像表示面を有する液晶のパネルと、該パネルの後側に配置された光学シートと、拡散板と、バックライト部と、画像表示面に画像を表示する表示手段とを備えている。また、表示部１の周縁部は前側を大形部分１ａとし、後側を小形部分としてあり、表示部１の上側の小形部分１ｂに、前記表示手段に動作指示信号を与える複数の操作部５が装着されている。尚、大形部分１ａ及び小形部分１ｂの間の段部１ｃには上側辺の長さ方向に離隔して二つの螺子孔１１，１１が設けられている。
【００２７】
表示手段はマイクロプロセッサを用いてなる制御部を有しており、該制御部の入力部には、外部電源に接続される主電源スイッチと、表示メニューの入力を切換える入力切換スイッチと、テレビ放送選択スイッチと、音量調整スイッチ等が接続されている。
【００２８】
図４は操作部の構成を示す斜視図である。操作部５は、主電源スイッチを操作する第１の押釦５１、入力切換スイッチを操作する第２の押釦５２、テレビ放送選択スイッチを操作する第３の押釦５３、音量調整スイッチを操作する第４の押釦５４であり、該第１〜第４の押釦５１〜５４が支持体６に上下への動作を可能に支持されている。
【００２９】
この支持体６は、第１〜第４の押釦５１〜５４が直列に並置され、小形部分１ｂに載置される矩形の基板部６ａと、該基板部６ａの両端から一側（表示部１の前方）に突設された二つの取着部６ｂ，６ｂとを有しており、取着部６ｂ，６ｂを表示部１に取着することにより、前記上側辺の長さ方向に離隔して並置された第１〜第４の押釦５１〜５４を表示部１に装着するように構成されている。
【００３０】
基板部６ａの裏側には前記主電源スイッチ、入力切換スイッチ、テレビ放送選択スイッチ及び音量調整スイッチが搭載された回路基板が保持されており、主電源スイッチと対応する位置に第１の押釦５１、入力切換スイッチと対応する位置に第２の押釦５２、テレビ放送選択スイッチと対応する位置に第３の押釦５３、音量調整スイッチと対応する位置に第４の押釦５４が夫々支持されている。
【００３１】
取着部６ｂ，６ｂの夫々は段部１ｃに対向する立上片６ｃ，６ｃを有しており、該立上片６ｃ，６ｃの夫々に、前後に貫通する第１凹部６ｄ，６ｄ及び前後に貫通し、図２に示す螺子孔１１，１１に対応する挿通孔６ｅ，６ｅが設けられている。また、基板部６ａには第１及び第４の押釦５１，５４の両側で上下に貫通する第２凹部６ｆ，６ｆが設けられており、また、基板部６ａの他側（表示部１の後方）には前方に窪む二つの螺子孔６ｇ，６ｇが設けられている。
【００３２】
バックキャビネット３は、表示部１の後側及び小形部分１ｂを覆う皿形覆部３ａと、該皿形覆部３ａの開放縁に突設され、段部１ｃに対向するフランジ３ｂとを有しており、該フランジ３ｂが複数の小螺子８により段部１ｃに取付けられている。また、バックキャビネット３の上側には操作部５に対応する矩形の開放孔３１が設けられており、該開放孔３１が閉塞体７により閉塞されている。
【００３３】
図５は閉塞体の構成を示す斜視図である。閉塞体７は、第１〜第４の押釦５１〜５４に対応する第１〜第４の案内孔７１〜７４を有する矩形の覆板部７ａと、覆板部７ａの一側（表示部１の前方）に立上がる立上部７ｂと、該立上部７ｂから前方に延出され、且つ第１凹部６ｄ，６ｄに嵌入される第１突起７ｃ，７ｃと、覆板部７ａの両端から垂下され、且つ第２凹部６ｆ，６ｆの夫々に嵌入される二つの第２突起７ｄ，７ｄ及び該第２突起７ｄ，７ｄと離隔した位置から垂下され、開放孔３１の孔縁に係合する二つの位置決片７ｅ，７ｅと、覆板部７ａの他側（表示部１の後方）に垂下された取着片７ｆとを有しており、螺子孔６ｇ，６ｇに対応する二つの挿通孔７５，７５が取着片７ｆに設けられている。
【００３４】
図６〜図９は要部の組立て過程を示す説明図である。以上のように構成された表示装置を組立てる場合、表示部１の上側の小形部分１ｂに支持体６を載置し、該支持体６の二つの挿通孔６ｅ，６ｅから段部１ｃの螺子孔１１，１１に小螺子９，９を緊締することにより第１〜第４の押釦５１〜５４及び支持体６が表示部１に装着される。
【００３５】
この後、バックキャビネット３のフランジ３ｂ部が表示部１の段部１ｃに複数本の小螺子８により取着される。この場合、バックキャビネット３の操作部５に対応する箇所は開放され、開放孔３１が設けられているため、操作部５との位置関係を大ざっぱにしてバックキャビネット３を取着することができ、組立て作業性を向上できる。
【００３６】
次に、閉塞体７を片手で把持し、該閉塞体７の二つの第１突起７ｃ，７ｃを第１凹部６ｄ，６ｄに挿入することにより閉塞体７を仮止めすることができ、この仮止め状態で閉塞体７を下方へ回動させることにより、第２突起７ｄ，７ｄが第２凹部６ｆ，６ｆに嵌入されるとともに、位置決片７ｅ，７ｅが開放孔３１に嵌入される。このとき、第２突起７ｄ，７ｄ及び第２凹部６ｆ，６ｆにより閉塞体７の上下位置を決めることができ、位置決片７ｅ，７ｅにより閉塞体７の横方向位置を決めることができる。
【００３７】
このように位置決めした状態では閉塞体７の取着片７ｆが基板部６ａの他側に対向し、螺子孔６ｇ，６ｇに対応する位置に挿通孔７５，７５がある。この挿通孔７５，７５から螺子孔６ｇ，６ｇに小螺子１０，１０を緊締することにより閉塞体７の上下方向への回動を阻止し、第１〜第４の押釦５１〜５４及び案内孔７１〜７４の位置関係を維持することができる。
【００３８】
従って、本発明にあっては、閉塞体７の第１突起７ｃ，７ｃを第１凹部６ｄ，６ｄに挿入して、閉塞体７を下方へ回動操作するだけの簡単な操作で閉塞体７を適正位置に位置決めすることができ、この後、小螺子１０を緊締するだけの簡単な操作により閉塞体７を固定することができ、組立て作業性を向上できる。
【００３９】
尚、以上説明した実施の形態では表示部１の上側に操作部５を配置したが、その他、操作部５は表示部１の左右方向の側部又は下側に配置する構成としてもよい。また、操作部５は表示部１の後側に配置したが、その他、操作部５は表示部１の周縁部の前側に配置する構成としてもよい。
【００４０】
また、以上説明した実施の形態のキャビネットは、フロントキャビネット２及びバックキャビネット３を備える構成としたが、キャビネットの構成は特に制限されない。
【００４１】
また、本発明に係る表示装置は液晶テレビ等の液晶表示装置である他、プラズマ表示装置、ＥＬディスプレイ等の表示装置であってもよい。
【図面の簡単な説明】
【００４２】
【図１】本発明に係る表示装置の構成を示す背面側の斜視図である。
【図２】本発明に係る表示装置の分解した背面側の斜視図である。
【図３】本発明に係る表示装置の要部の分解した斜視図である。
【図４】本発明に係る表示装置の操作部の構成を示す斜視図である。
【図５】本発明に係る表示装置の閉塞体の構成を示す斜視図である。
【図６】本発明に係る表示装置の要部の組立て過程を示す説明図である。
【図７】本発明に係る表示装置の要部の組立て過程を示す説明図である。
【図８】本発明に係る表示装置の要部の組立て過程を示す説明図である。
【図９】本発明に係る表示装置の要部の組立て過程を示す説明図である。
【符号の説明】
【００４３】
１    表示部
３    バックキャビネット（キャビネット）
３１  開放孔
５    操作部
５１  第１の押釦
５２  第２の押釦
５３  第３の押釦
５４  第４の押釦
６    支持体
６ｄ  第１凹部
６ｆ  第２凹部
７    閉塞体
７ｃ  第１突起（位置決め手段）
７ｄ  第２突起（位置決め手段）
７１  第１の案内孔（孔）
７２  第２の案内孔（孔）
７３  第３の案内孔（孔）
７４  第４の案内孔（孔）
１０  小螺子（固定手段）
【図１】
2007151036.tif 000003
【図２】
2007151036.tif 000004
【図３】
2007151036.tif 000005
【図４】
2007151036.tif 000006
【図５】
2007151036.tif 000007
【図６】
2007151036.tif 000008
【図７】
2007151036.tif 000009
【図８】
2007151036.tif 000010
【図９】
2007151036.tif 000011